(57)【特許請求の範囲】
【請求項１】
内部にキャビティを有し、前記キャビティの内壁に弾性撓み可能なランスが形成されているハウジングと、
前端部にタブを有し、後方から前記キャビティに挿入される雄端子金具と、
前記雄端子金具に係止される抜止部を有するリテーナとを備え、
前記リテーナは、前記ハウジングに対し、前記雄端子金具の挿入動作を許容する仮係止位置と、挿入済みの前記雄端子金具に前記抜止部を係止させる本係止位置との間での移動を可能に取り付けられるようになっており、
挿入済みの前記雄端子金具に前記ランスと前記抜止部とを係止させることで、前記雄端子金具を抜止めするようになっており、
前記リテーナには、前記リテーナが仮係止位置にある状態において、前記雄端子金具を挟んで前記ランスとは反対側であって前記ランスよりも後方に位置するように配されて、挿入過程の前記雄端子金具を摺接させるガイド部が設けられたコネクタにおいて、
前記雄端子金具は、前記タブの後端に連なる角筒部と、前記角筒部よりも幅狭であって前記角筒部の後端に連なる電線接続部とを有し、
前記抜止部が、左右一対設けられ、
前記ガイド部が、前記抜止部よりも後方に配されて、左右一対設けられ、
前記リテーナが本係止位置に移動した状態では、前記抜止部と前記ガイド部が前記キャビティ内における前記雄端子金具の挿入領域内に進出し、前記一対の抜止部が前記角筒部の後端に対し後方から係止するとともに、前記一対のガイド部が、前記電線圧着部と非干渉の状態で、前記角筒部の幅方向における端縁部と対応するように位置することを特徴とするコネクタ。
【請求項２】
前記ガイド部が、前記雄端子金具の挿入方向に沿って連続した形態であることを特徴とする請求項１記載のコネクタ。
【請求項３】
前記ガイド部は、前記雄端子金具の挿入過程において、前記タブが前記ランスに当接するより前に、前記雄端子金具と接触する位置に配されていることを特徴とする請求項１又は請求項２記載のコネクタ。
【請求項４】
前記抜止部は、前記リテーナが仮係止位置にある状態で前記雄端子金具と非接触となる位置に配されていることを特徴とする請求項１ないし請求項３のいずれかに記載のコネクタ。
【請求項５】
前記ガイド部の前端部には、前記雄端子金具の挿入方向に対して傾斜したテーパ面が形成されていることを特徴とする請求項１ないし請求項４のいずれかに記載のコネクタ。
【発明の詳細な説明】
【技術分野】
【０００１】
本発明は、コネクタに関するものである。
【背景技術】
【０００２】
特許文献１には、ハウジング内のキャビティ内に後方から雄端子金具を挿入し、正規挿入された雄端子金具を、キャビティの内壁のランスの係止作用によって抜止めするとともに、ハウジングにおけるランスよりも後方の位置に、雄端子金具の挿入方向と交差する方向にリテーナを組付け、そのリテーナを雄端子金具に係止させることによっても、雄端子金具の抜止めを図るようになっている。
【０００３】
リテーナは、抜止部を有し、キャビティに対する雄端子金具の挿入動作を許容する仮係止位置と、抜止部を雄端子金具の挿入経路中に進出させて挿入済みの雄端子金具に係止させる本係止位置とに保持される。
【特許文献１】特開２００５−５１２１号公報
【発明の開示】
【発明が解決しようとする課題】
【０００４】
この種のコネクタでは、リテーナが仮係止位置にあるときに、抜止部が雄端子金具の挿入経路外へ退避するので、挿入途中の雄端子金具の外面と、リテーナのキャビティに臨む面との間に隙間が空くものがある。このような形態のコネクタでは、弾性撓みしたランスが、雄端子金具の前端のタブに対して、抜止部が退避している側とは反対側から押圧したときに、雄端子金具の挿入姿勢が傾き、タブがキャビティの前面壁と干渉して挿入動作に支障を来すことが懸念される。  
本発明は上記のような事情に基づいて完成されたものであって、雄端子金具の挿入姿勢の傾きを防止することを目的とする。
【課題を解決するための手段】
【０００５】
上記の目的を達成するための手段として、請求項１の発明は、内部にキャビティを有し、前記キャビティの内壁に弾性撓み可能なランスが形成されているハウジングと、前端部にタブを有し、後方から前記キャビティに挿入される雄端子金具と、前記雄端子金具に係止される抜止部を有するリテーナとを備え、前記リテーナは、前記ハウジングに対し、前記雄端子金具の挿入動作を許容する仮係止位置と、挿入済みの前記雄端子金具に前記抜止部を係止させる本係止位置との間での移動を可能に取り付けられるようになっており、挿入済みの前記雄端子金具に前記ランスと前記抜止部とを係止させることで、前記雄端子金具を抜止めするようになっており、前記リテーナには、前記リテーナが仮係止位置にある状態において、前記雄端子金具を挟んで前記ランスとは反対側であって前記ランスよりも後方に位置するように配されて、挿入過程の前記雄端子金具を摺接させるガイド部が設けられたコネクタにおいて、前記雄端子金具は、前記タブの後端に連なる角筒部と、前記角筒部よりも幅狭であって前記角筒部の後端に連なる電線接続部とを有し、前記抜止部が、左右一対設けられ、前記ガイド部が、前記抜止部よりも後方に配されて、左右一対設けられ、前記リテーナが本係止位置に移動した状態では、前記抜止部と前記ガイド部が前記キャビティ内における前記雄端子金具の挿入領域内に進出し、前記一対の抜止部が前記角筒部の後端に対し後方から係止するとともに、前記一対のガイド部が、前記電線圧着部と非干渉の状態で、前記角筒部の幅方向における端縁部と対応するように位置するところに特徴を有する。
【０００６】
請求項２の発明は、請求項１に記載のものにおいて、前記ガイド部が、前記雄端子金具の挿入方向に沿って連続した形態であるところに特徴を有する。
【０００７】
請求項３の発明は、請求項１または請求項２に記載のものにおいて、前記ガイド部は、前記雄端子金具の挿入過程において、前記タブが前記ランスに当接するより前に、前記雄端子金具と接触する位置に配されているところに特徴を有する。
【０００９】
請求項４の発明は、請求項１ないし請求項３のいずれかに記載のものにおいて、前記抜止部は、前記リテーナが仮係止位置にある状態で前記雄端子金具と非接触となる位置に配されているところに特徴を有する。
【００１０】
請求項５の発明は、請求項１ないし請求項４のいずれかに記載のものにおいて、前記ガイド部の前端部には、前記雄端子金具の挿入方向に対して傾斜したテーパ面が形成されているところに特徴を有する。
【発明の効果】
【００１１】
＜請求項１の発明＞
雄端子金具の挿入過程において、弾性撓みしているランスからタブに対して押圧力が作用しても、ランスの反対側では雄端子金具がガイド部に当接しているので、雄端子金具の姿勢が傾いたままになる虞はない。
また、雄端子金具が正規挿入されてリテーナが本係止位置に移動した状態では、ガイド部は、角筒部の後方において雄端子金具の挿入領域内に進出するのであるが、ガイド部は、幅方向において角筒部の端縁部と対応するように配され、電線圧着部は角筒部よりも幅狭とされているので、リテーナが本係止位置に移動しても、ガイド部が電線圧着部と干渉する虞はない。
【００１２】
＜請求項２の発明＞
ガイド部が、雄端子金具の挿入方向に沿って連続しているので、雄端子金具を正しい姿勢に安定して保持することができる。
【００１３】
＜請求項３の発明＞
雄端子金具の挿入過程では、タブがランスからの弾性押圧力を受ける前に、ガイド部によって雄端子金具の姿勢が正しく保たれるので、雄端子金具の姿勢は、終始安定する。
【００１５】
＜請求項４の発明＞
抜止部は、リテーナが仮係止位置にある状態で雄端子金具と非接触となる位置に配されているので、挿入途中の雄端子金具との接触に起因する切削等の損傷を受けることがない。したがって、抜止部と雄端子金具との係止代が確保され、雄端子金具を確実に抜止めすることができる。
【００１６】
＜請求項５の発明＞
ガイド部の前端部にテーパ面を形成したので、リテーナを仮係止位置に移動させた状態で雄端子金具をキャビティから抜くときに、雄端子金具がガイド部の前端に突き当たる虞がなく、雄端子金具の抜取りを円滑に行うことができる。
【発明を実施するための最良の形態】
【００１７】
＜実施形態１＞
以下、本発明を具体化した実施形態１を図１乃至図１７を参照して説明する。本実施形態のコネクタは、互いに嵌合・離脱が可能な雄コネクタＭと雌コネクタＦとから構成されている。  
まず、雄コネクタＭについて説明する。  
雄コネクタＭは、雄ハウジング１０（本発明の構成要件であるハウジング）と、雄ハウジング１０に取り付けられる複数の雄端子金具３０と、雄ハウジング１０に取り付けられるリテーナ５０とを備えて構成されている。尚、図８、図１０、図１１においては、端子収容部１１の図示を省略している。
【００１８】
雄ハウジング１０は、合成樹脂製であり、ブロック状をなす端子収容部１１と、端子収容部１１の前端外周縁から前方へ角筒状に延出するフード部１２とを一体に形成したものである。図１及び図２に示すように、端子収容部１１内には、前後方向に貫通する複数のキャビティ１３が、上下２段に分かれて形成されている。各キャビティ１３の後端は、雄端子金具３０を挿入させるための入り口として端子収容部１１の後端面において大きく開口され、キャビティ１３の前端は、雄端子金具３０のタブ３２を挿通させるための挿通孔１４として端子収容部１１の前端面（フード部１２の奥端面）に開口されている。挿通孔１４は、キャビティ１３の前面壁を貫通する形態となっており、この前面壁における挿通孔１４よりも下方の位置には、前止まり部１５が形成されている。また、キャビティ１３の下面における前端部は、正規挿入された雄端子金具３０を下から支承するための支承面１６となっている。
【００１９】
各キャビティ１３には、その上面壁に沿って前方へ片持ち状に延出した形態のランス１７が一体に形成されている。ランス１７は、前後方向においてキャビティ１３の前端部（前止まり部１５よりも後方の位置であって、前後方向においては支承面１６とほぼ同じ位置）に配されている。ランス１７の下面（キャビティ１３に臨む面）には抜止め突起１８が形成されている。抜止め突起１８の前面は、前後方向（キャビティ１３に対する雄端子金具３０の挿抜方向）と略直角な係止面１８ａとなっており、抜止め突起１８の下面は、雄端子金具３０の挿入方向に対して斜めをなすように湾曲した誘導斜面１８ｂとなっている。かかるランス１７は、常には、抜止め突起１８をキャビティ１３の上面壁よりも下方へ突出させて雄端子金具３０の挿入経路上に進出させる係止位置にあるが、抜止め突起１８を雄端子金具３０の挿入経路から上方へ待避するように弾性撓みし得るようになっている。
【００２０】
また、端子収容部１１には、その下面に開口する収容空間１９が形成されている。この収容空間１９は、下段側のキャビティ１３におけるランス１７よりも後方の領域、及び上段のキャビティ１３におけるランス１７よりも後方の領域に連通している。この収容空間１９には、下方からリテーナ５０が組み付けられるようになっている。
【００２１】
また、図８，１０に示すように、フード部１２には、その一方の側壁を前端から後方へ切欠した形態の逃がし溝２０が形成されている。逃がし溝２０の上側の開口縁には、その前端位置から下方へ突出する解除部２１が形成されている。さらに、図１３及び図１４に示すように、側壁における逃がし溝２０よりも上方の領域と下方の領域は、他方の側壁よりも肉厚となっていて、これにより、逃がし溝２０側の側壁の剛性が高められている。この肉厚の側壁の外側面には、逃がし溝２０の上側の開口縁に沿った領域と、逃がし溝２０の下側の開口縁に沿った領域とをテーパ状に切欠した形態の逃がし斜面２２が形成されている。
【００２２】
また、図８及び図１０に示すように、フード部１２の上面壁２５には、その左右方向における略中央位置から下方へ突出するロック用突部２３が形成されている。このロック用突部２３が形成されている上面壁２５は、図１３及び図１４に示すように、上面（外面）が全幅に亘って面一状であるのに対し、下面（内面）は、幅方向における略中央領域が浅く凹んだ形態となっている。これにより、上面壁２５の幅方向における両端側の部分は肉厚部２５ａとなっており、幅方向における略中央領域は肉厚部２５ａよりも薄い肉薄部２５ｂとなっている。このように上面壁２５の厚さを異ならせたのは、雄ハウジング１０を金型形成したときに、冷却に伴う上面壁２５の反り変形を抑制するためである。これにより、ロック用突部２３の上下方向における位置精度が高められている。
【００２３】
さらに、フード部１２の上下両外面には、逃がし溝２０側の端縁部において突出する一対の第１指掛け部２６が形成されている。一方、フード部１２における逃がし溝２０とは反対側の側壁の外面には、一対の第２指掛け部２７が突出形成されている。一対の第２指掛け部２７のうち一方の第２指掛け部２７は、側壁の略前半領域における上端部に配置され、他方の第２指掛け部２７は、側壁の略下半分領域における下端部に配置されている。
【００２４】
雄端子金具３０は、図３〜５に示すように、全体として前後方向に細長く、横長の角筒部３１と、角筒部３１の前端から前方へ突出するタブ３２と、角筒部３１の後端から後方へ延出する電線圧着部３３とを備えて構成されている。角筒部３１は、タブ３２に連なる上面板３４と、上面板３４の左右両側縁から下方へ略直角に延出する左右一対の側板３５と、左右両側板３５の下端縁から内側へ略直角に延出する一対の下面板３６とを備えて構成されている。タブ３２の上面と角筒部３１の上面板３４の上面とは面一状に連なっている。上面板３４には、方形に開口する係止孔３７が形成されており、この係止孔３７の前縁にはランス１７の係止面１８ａが係止されるようになっている。角筒部３１には、係止孔３７の左右両側縁から上方へ立ち上がる一対の板状をなすスタビライザ３８が形成されている。
【００２５】
角筒部３１の後端には、両下面板３６の延出端部における後端縁から上方へ弧状に延出する湾曲部３９が形成されている。そして、下面板３６の後端縁における湾曲部３９と側板３５との間の領域は、リテーナ５０が係止するための係止部４０となっている。この係止部４０は、係止孔３７よりも後方に位置する。
【００２６】
電線圧着部３３は、角筒部３１の上面板３４の後端に対して面一状に連なる基板４１と、基板４１の左右両側縁から下方へ延出する前後二対のカシメ片４２とからなる周知の形態のものである。この電線圧着部３３には、被覆電線４３の露出した導体４４と絶縁被覆４５の前端部とが圧着により固着されている。被覆電線４３が固着された状態における電線圧着部３３の幅寸法は、角筒部３１の幅寸法よりも小さく、電線圧着部３３は、角筒部３１における幅方向中央位置に配置される。また、雄端子金具３０がキャビティ１３に挿入される過程、及び雄端子金具３０が正規挿入された状態では、角筒部３１の側板３５の外側面は、キャビティ１３の内壁面に対して摺接または僅かな隙間を空けて対向するようになっている。したがって、キャビティ１３の内側壁と電線圧着部３３の側面との間には、後述するようにリテーナ５０のガイド部５８を進入させるためのクリアランスが確保される。さらに、電線圧着部３３の上下寸法は、角筒部３１よりも小さく、したがって、電線圧着部３３の下端は、角筒部３１の下面（下面板３６の下面）よりも上方に位置する。これにより、角筒部３１の後方においては、リテーナ５０の抜止部５７を収容するための空間が確保されている。
【００２７】
リテーナ５０は、合成樹脂製であり、水平な板状をなすベース部５１と、ベース部５１の左右両側縁から板状に立ち上がる一対の側壁部５２と、ベース部５１から上方へ立ち上がって両側壁部５２の内面に連なる抜け機能部５３とを備えて構成されている。かかるリテーナ５０は、その両側壁部５２を端子収容部１１の外側面に摺接させるとともに、抜け機能部５３を収容空間１９に収容させるようにして、雄ハウジング１０に組み付けられる。組み付けられたリテーナ５０は、突起と孔との係止等による周知の係止手段（図示せず）により、仮係止位置と本係止位置とに保持できるようになっている。
【００２８】
抜け機能部５３の上端縁には、上段のキャビティ１３と対応する係止突起５４が上方へ突出する形態で形成されている。また、抜け機能部５３には、下段のキャビティ１３と対応する複数の貫通孔５５が前後方向に貫通して形成されている。貫通孔５５の上面には、その左右両端部を上方へ切欠した形態であって、雄端子金具３０のスタビライザ３８との干渉を回避するための左右一対の切欠部５６が形成されている。貫通孔５５の左右両内側面には、その前端部を内側へ張り出させた形態の一対の抜止部５７が形成されている。抜止部５７は、上下方向において貫通孔５５の略した半分領域を占めており、抜止部５７の前面は、抜け機能部５３の前面に対して面一状に連なっている。この抜止部５７の上端部は、雄端子金具３０の係止部４０に対して後方から係止するようになっている。
【００２９】
また、貫通孔５５には、その左右両内側面を張り出させた形態の一対のガイド部５８が形成されている。ガイド部５８は、上下方向において貫通孔５５の略下半分領域を占めており、ガイド部５８の上面は、抜止部５７の上端よりも上方に位置し、前後方向（キャビティ１３に対する雄端子金具３０の挿入方向と平行な方向）に連続して直線状に延びた細長い摺接面５９となっている。前後方向において、ガイド部５８（摺接面５９）は、抜止部５７の上面の後端よりも後方に位置する。また、摺接面５９の前後方向の長さは、角筒部３１の前後長とほぼ同じ寸法である。さらに、一対のガイド部５８の互いに対向する内面間の距離は、一対の抜止部５７の互いに対向する内面間の距離よりも大きくなっている。
【００３０】
ガイド部５８の前端部には、雄端子金具３０の挿入方向に対して前方へ下り勾配となるように傾斜したテーパ面６０が形成されている。テーパ面６０の前端は抜止部５７の上面に対して鈍角をなして連なり、テーパ面６０の後端は摺接面５９の前端に対して鈍角をなして連なっている。ガイド部５８の後端は、雄端子金具３０の挿入方向に対して前方に向かって登り勾配となるように傾斜した傾斜面６１となっている。傾斜面６１の前端は、摺接面５９の後端に対して鈍角をなして連なっている。
【００３１】
リテーナ５０が仮係止位置に保持されている状態では、図１に示すように、貫通孔５５の上面がキャビティ１３の上面に対して面一となる位置関係となり、ガイド部５８の摺接面５９が、キャビティ１３の支承面１６と同じ高さに位置する。ガイド部５８は、キャビティ１３の内側面よりも内側に進出している。また、抜止部５７は、支承面１６及び摺接面５９よりも下方の位置（雄端子金具３０の挿入領域から退避した位置）で待機する。  
リテーナ５０が、仮係止位置から斜め上前方の本係止位置に移動した状態では、図２に示すように、抜止部５７の上端部とガイド部５８の上端部が、キャビティ１３内に進出し、抜止部５７の上面及び摺接面５９は、支承面１６よりも上方に位置する。
【００３２】
次に、本実施形態の作用を説明する。  
雄コネクタＭにおいて雄ハウジング１０に雄端子金具３０を挿入する際には、リテーナ５０を仮係止位置に保持しておき、この状態で、後方から雄端子金具３０をキャビティ１３内に挿入する。挿入の過程では、タブ３２の上面と角筒部３１の上面がキャビティ１３の上面及びリテーナ５０の貫通孔５５の上面に摺接する。そして、タブ３２の先端がランス１７に到達するより前に、角筒部３１の前端がガイド部５８の後端に到達する。そして、角筒部３１の下面の幅方向における左右両端縁部が摺接面５９に摺接する状態となり、これにより、角筒部３１の下方への変位が規制される。また、角筒部３１は、摺接面５９と貫通孔５５の上面との間で上下に挟まれた状態となるので、角筒部３１（雄端子金具３０）の前傾又は後傾となるように姿勢の傾きが規制される。
【００３３】
この状態から雄端子金具３０の挿入が進むと、タブ３２の先端がランス１７の抜止め突起１８と干渉し、タブ３２はランス１７を上方へ弾性撓みさせながら前進しようとする。ここで、図１に示すように、角筒部３１は、貫通孔５５の上面とガイド部５８の摺接面５９とによって上下に挟まれた状態を保ち、雄端子金具３０の前傾が規制されているので、タブ３２は、ランス１７の弾性復元力に起因する上からの弾性押圧力を受けても、下方へ変位することはない。つまり、タブ３２は、正規の高さを保つことができる。したがって、タブ３２の先端が前面壁における挿通孔１４よりも下方の部分に突き当たることがなく、タブ３２は、円滑に挿通孔１４内に挿通される。また、ガイド部５８は、雄端子金具３０の挿入方向に沿って連続した形態なので、雄端子金具３０を正しい姿勢に安定して保持することができる。
【００３４】
そして、雄端子金具３０が、その角筒部３１の前端を前止まり部１５に当接させる正規挿入位置に達すると、図２に示すように、ランス１７が弾性復帰して抜止め突起１８が係止孔３７に係止されることで雄端子金具３０が一次係止され、この一次係止により雄端子金具３０が抜止め状態となる。また、角筒部３１は、ガイド部５８と抜止部５７とを通過して、抜止部５７よりも前方に位置する。
【００３５】
この状態から、リテーナ５０を本係止位置へ移動させると、抜止部５７の上端部が、雄端子金具３０の係止部４０に対して後方から二次係止し、この二次係止作用によっても、雄端子金具３０が抜止め状態となる。つまり、雄端子金具３０は、ランス１７とリテーナ５０とによって確実に抜止め状態に保持されるのである。
【００３６】
また、リテーナ５０を本係止位置に移動させた状態では、貫通孔５５の内側面よりのも内側へ張り出したガイド部５８の上端縁部が、電線圧着部３３と同じ高さ（キャビティ１３内における雄端子金具３０の挿入領域内）まで上昇するのであるが、ガイド部５８は、幅方向において角筒部３１の端縁部と対応するように配され、電線圧着部３３は、キャビティ１３の内側面に摺接する角筒部３１よりも幅狭であるから、ガイド部５８が電線圧着部３３と干渉することはない。
【００３７】
また、抜止部５７は、リテーナ５０が仮係止位置にある状態で雄端子金具３０と非接触となる位置に配されているので、挿入途中の雄端子金具３０との接触に起因する切削等の損傷を受けることがない。したがって、抜止部５７と雄端子金具３０との係止代が確保され、雄端子金具３０を確実に抜止めすることができる。
【００３８】
また、ガイド部５８の前端部には、雄端子金具３０の挿入方向に対して傾斜したテーパ面６０を形成しているので、リテーナ５０を仮係止位置に移動させた状態で雄端子金具３０をキャビティ１３から抜くときに、角筒部３１の係止部４０がガイド部５８の前端に突き当たって引っ掛かりを生じる虞がなく、雄端子金具３０の抜取りを円滑に行うことができる。
【００３９】
次に、雌コネクタＦの構成、及び雄コネクタＭと雌コネクタＦの嵌合・離脱の作業について説明する。  
雌コネクタＦは、図９，図１２，図１５に示すように、ブロック状をなす合成樹脂製の雌ハウジング７０と、雌ハウジング７０内に収容される雌端子金具７２と、雌ハウジング７０の内部に側方（両コネクタＦ，Ｍの嵌合方向と直交する方向）から組み付けられる板状のスライダ７３とを備えて構成されている。雌ハウジング７０の上面には、ロック溝７１が形成され、このロック溝７１の内部には、ロックアーム（図示せず）が形成されている。
【００４０】
スライダ７３は、雌ハウジング７０に対して大きく突出した仮係止位置と、雌ハウジング７０の内部に収容された本係止位置とに保持されるようになっている。仮係止位置のスライダ７３が本係止位置に移動するのを規制する手段として、スライダ７３に形成した撓み係止片７４の先端の突起部７５が、雌ハウジング７０の外面に突き当たるようにしている。この突起部７５の前面には、テーパ状解除面７６が形成されている。また、スライダ７３には、カム溝７７と、雌端子金具７１を抜止めするための抜止め用突部７８と、スライダ７３を移動操作するための操作部７９とが形成されている。
【００４１】
雄コネクタＭと雌コネクタＦを嵌合させる際には、まず、雌ハウジング７０に対してスライダ７３を仮係止位置に取り付けるとともに雌端子金具７２を挿入する。次に、雌コネクタＦを雄コネクタＭのフード部１２内に嵌合し、スライダ７３を逃がし溝２０内に進入させるとともに、ロック用突部２３をロック溝７１に嵌合させる。すると、ロック用突部２３の下端のカムフォロア２４がスライダ７３のカム溝７７に係合されるとともに、フード部１２の解除部２１が撓み係止片７４の突起部７５に当接して、撓み係止片７４を弾性撓みさせ、これにより、突起部７５が雌ハウジング７０の外面から解離し、スライダ７３が本係止位置に移動し得る状態となる。このとき、解除部２１はテーパ状解除面７６に当接するので、このテーパ状解除面７６の傾斜により、撓み係止片７４は円滑に弾性撓みすることができる。したがって、フード部１２の側壁には、逃がし溝２０の溝幅を上下に拡大させるような変形は生じ難い。また、側壁における逃がし溝２０の上方の領域と下方の領域は、補強手段として肉厚となっているので、この肉厚形態によっても、側壁が逃がし溝２０を拡開させるように変形することが防止されている。
【００４２】
この状態から、操作部７９を押してスライダ７３を雌ハウジング７０内に押し込むと、カム溝７７とカムフォロア２４との係合によるカム作用により、両コネクタＦ，Ｍが引き寄せられて正規嵌合状態に至る。両コネクタＦ，Ｍが正規嵌合されると、ロック用突部２３とロックアームとが係止することにより、両コネクタＦ，Ｍが嵌合状態にロックされる。ここで、フード部１２の上面壁２５は金型形成時の変形が生じないようになっていて、ロック用突部２３の上下方向の位置精度が高められているので、ロック用突部２３とロックアームとは確実に係止することができる。また、スライダ７３を本係止位置に押し込む際には、第２指掛け部２７に指を宛がえば、その指がフード部１２の外面から外れ難くなるので、作業性がよくなる。
【００４３】
また、両コネクタＦ，Ｍを離脱させる際には、一方の手で操作部７９を摘み、他方の手でフード部１２の外面を掴むのであるが、このとき、第１指掛け部２６に指を引っかければ、フード部１２を確実に掴むことができる。この状態で、スライダ７３を仮係止位置まで引き出せば、両コネクタＦ，Ｍが離脱される。また、スライダ７３を少し引き出すと、操作部７９とフード部１２の外側面との間には、逃がし斜面２２を形成したことによる隙間が構成されるので、この隙間に指先を入れることにより、操作部７９をより確実に摘むことができ、作業性が向上する。
【００４４】
＜他の実施形態＞
本発明は上記記述及び図面によって説明した実施形態に限定されるものではなく、例えば次のような実施態様も本発明の技術的範囲に含まれる。  
（１）リテーナの移動方向は、雄端子金具の挿入方向と直交する方向であってもよい。  
（２）ガイド部は、雄端子金具の挿入方向において複数に断続した形態であってもよい。  
（３）ランスは、リテーナが仮係止位置へ移動するときに抜止部が退避する側と同じ側に配置されていてもよい。  
（４）ガイド部は、角筒部の幅方向における中央部分を摺接させる形態であってもよい。  
（５）ガイド部の上面と抜止部の上面を同じ高さとし、リテーナが仮係止位置にあるときに、挿入途中の雄端子金具が抜止部の上面に摺接するようにしてもよい。  
（６）雄端子金具の挿入過程において、タブがランスに当接した後で、雄端子金具がガイド部と接触するようにしてもよい。この場合でも、ランスの押圧によって傾いた雄端子金具の姿勢を、ガイド部への摺接によって矯正することができる。  
（７）ガイド部の前端面を、前後方向において抜止部の前面と同じ位置となるようにしてもよい。この場合、ガイド部の前面を雄端子金具に係止させることにより、リテーナと雄端子金具との係止代を増大することが可能となる。  
（８）リテーナが仮係止位置にある状態で、挿入過程の雄端子金具が抜止部に摺接するようにしてもよい。
【図面の簡単な説明】
【００４５】
【図１】実施形態１の雄コネクタにおいて雄端子金具の挿入過程をあらわす断面図
【図２】雄コネクタにおいて雄端子金具が正規挿入されてリテーナが本係止位置に移動した状態をあらわす断面図
【図３】雄端子金具の一部切欠側面図
【図４】仮係止位置にあるリテーナとの位置関係をあらわす雄端子金具の正面図
【図５】本係止位置にあるリテーナとの位置関係をあらわす雄端子金具の正面図
【図６】リテーナの断面図
【図７】リテーナの正面図
【図８】雄コネクタの斜視図
【図９】雌コネクタの斜視図
【図１０】雄コネクタと雌コネクタの嵌合過程をあらわす斜視図
【図１１】雄コネクタと雌コネクタの嵌合が完了した状態をあらわす斜視図
【図１２】雌コネクタの背面図
【図１３】雌コネクタとの嵌合過程をあらわす雄コネクタの正面図
【図１４】雌コネクタとの嵌合が完了した状態をあらわす雄コネクタの正面図
【図１５】雌コネクタの断面図
【図１６】スライダの平面図
【図１７】スライダの側面図
【符号の説明】
【００４６】
Ｍ…雄コネクタ（コネクタ）
１０…雄ハウジング（ハウジング）
１３…キャビティ
１７…ランス
３０…雄端子金具
３１…角筒部
３２…タブ
３３…電線圧着部
５０…リテーナ
５７…抜止部
５８…ガイド部
６０…テーパ面
【図１】
0005104212.tif 000002
【図２】
0005104212.tif 000003
【図３】
0005104212.tif 000004
【図４】
0005104212.tif 000005
【図５】
0005104212.tif 000006
【図６】
0005104212.tif 000007
【図７】
0005104212.tif 000008
【図８】
0005104212.tif 000009
【図９】
0005104212.tif 000010
【図１０】
0005104212.tif 000011
【図１１】
0005104212.tif 000012
【図１２】
0005104212.tif 000013
【図１３】
0005104212.tif 000014
【図１４】
0005104212.tif 000015
【図１５】
0005104212.tif 000016
【図１６】
0005104212.tif 000017
【図１７】
0005104212.tif 000018